(57)【要約】【課題】従来よりも自ら命を絶とうとする事故が起きる可能性が少なく安全に使用することができる建物扉用把手を提供しようとするもの。【解決手段】プル側の把手１は扉側の基体部３ａと手前に引く把手部４ａとを具備し、前記把手部４ａを手前側一杯に引いた状態でもこの操作により手前側に変位した奥側端部９は基体部３ａの凹部空間内に残留するようにした。この建物扉用把手は、プル側の把手部を手前側一杯に引いた状態でもこの操作により手前側に変位した奥側端部は基体部の凹部空間内に残留するようにしたので、紐などが非常に引っ掛かかり難い構造となっている。【選択図】        図５
2004324250.tif 000002
【特許請求の範囲】
【請求項１】
プル側の把手は扉側の基体部と手前に引く把手部とを具備し、前記把手部を手前側一杯に引いた状態でもこの操作により手前側に変位した奥側端部は基体部の凹部空間内に残留するようにしたことを特徴とする建物扉用把手。
【請求項２】
前記把手部は操作用の切欠部を有する略半球殻状とされた請求項１記載の建物扉用把手。
【発明の詳細な説明】
【０００１】
【発明の属する技術分野】
この発明は、安全性が高い建物扉用把手に関するものである。
【０００２】
【従来の技術】
従来より、プッシュ・プル型の建物扉用把手が知られている（例えば、特許文献１参照）。
【０００３】
図６及び図７に示すように、この建物扉用把手はドア２０の両側から把手２１を押したり引いたりすることにより錠機能が内蔵されているケーシング２２内にラッチ２３が没入し得る状態に開錠されてドア２０が開きうるものであり、ホテルその他の各種の建築物で広く使用されている。ドア２０の両側にある把手２１のうち片側（プッシュ側）は押し込むように、他方側（プル側）の把手は手前に引くレバー式形状となっている。
【０００４】
ところで、精神的に不安定なかたが入院される病院で、手前に引く方の把手のレバー２４に革紐２５を引っ掛ける人がいて、前記革紐２５を自分の首に巻き付けて吊り下がろうとする危険行為があった。レバー２４の床からの高さが約１メートル前後であっても、このような自ら命を絶とうとする事故が起きる可能性を否定できない。
【０００５】
【特許文献１】
意匠登録第９８３３４３号公報
【０００６】
【発明が解決しようとする課題】
そこでこの発明は、従来よりも自ら命を絶とうとする事故が起きる可能性が少なく安全に使用することができる建物扉用把手を提供しようとするものである。
【０００７】
【課題を解決するための手段】
前記課題を解決するためこの発明では次のような技術的手段を講じている。
▲１▼  この発明の建物扉用把手は、プル側の把手は扉側の基体部と手前に引く把手部とを具備し、前記把手部を手前側一杯に引いた状態でもこの操作により手前側に変位した奥側端部は基体部の凹部空間内に残留するようにしたことを特徴とする。
【０００８】
この建物扉用把手は、プル側の把手部を手前側一杯に引いた状態でもこの操作により手前側に変位した奥側端部は基体部の凹部空間内に残留するようにしたので、紐などが非常に引っ掛かかり難い構造となっている。
【０００９】
▲２▼  前記把手部は操作用の切欠部を有する略半球殻状とされたこととしてもよい。
【００１０】
このように構成すると、紐などがより引っ掛かかり難い構造とすることができる。
【００１１】
【発明の実施の形態】
以下、この発明の実施の形態を図面を参照して説明する。
【００１２】
図１乃至図５に示すように、この実施形態の建物扉用把手は、プル側の把手１は扉２に固定する基体部３ａと手前に引く把手部４ａとを具備する。この把手部４ａは、操作用の切欠部５（図５参照）を有する浅い略半球殻状としている。
【００１３】
前記プル側の把手１に対し扉２の逆側面には、プッシュ側の把手６を設けている。このプッシュ側の把手６の把手部４ｂも浅い略半球殻状としており、その基体部３ｂを扉２に固定している。
【００１４】
前記プル側の把手１とプッシュ側の把手６とは共に基体部３に把手部４を一定範囲回動可能に軸支した構造としており、それぞれ開閉操作後の復元用のスプリング７（図５参照）を配設している。また前記各基体部３には、各把手部４への操作を錠機構へと伝達する一対の出力軸８（図３、図５参照）を設けている。
【００１５】
そして、前記プル側の把手部１を手前側一杯に引いた状態でも、この操作により元の位置（図５の二点鎖線参照）から手前側に変位したその奥側端部９は基体部３ａの凹部空間１０内に残留するように回動ストロークを設定している。前記奥側端部９は、浅い略半球殻状の把手部４ａの操作用の切欠部５の奥で丸みのある角となっている。
【００１６】
ここで、扉２内にはその側端面１１から内方に向け延在するケーシング１２が装着され、断面三角状の角度が付いているラッチ１３は前記ケーシング１２の内部に反転かつ進退可能に設けられている。前記ケーシング１２内には、ラッチ１３を前進位置にロックするロック部材や、前記ロック部材を動作させるスライド部材等の錠機構などが内蔵されている。前記錠機構は、表裏の把手部４を押したり引いたりする操作をすることにより、ラッチ１３がケーシング１２内に没入し得る状態に開錠されて扉２が開くようにするものである。また前記ケーシング１２には、一対の出力軸８から伝達された運動を錠機構を通じてラッチ１３へと中継する一対の受力部１４  （図４、図５参照）を設けている。前記ラッチ１３は締まりを行う部分であり、スプリングによって通常はケーシング１２から飛び出しており、把手部４の操作により後退して凹み得る状態となる。
【００１７】
次に、この実施形態の建物扉用把手の使用状態を説明する。
【００１８】
図１、図２及び図５に示すように、この建物扉用把手は、プル側の把手部１を手前側一杯に引いた状態でもこの操作により手前側に変位した奥側端部９は基体部３ａの凹部空間１０内に残留するようにしたので（特に図５参照）、紐などが非常に入り難く引っ掛かかり難い構造となっており、従来よりも不慮の事故が起きる可能性が極端に少なく安全に使用することができる。また、前記把手部４ａは操作用の切欠部５を有する略半球殻状としており、前記奥側端部９も丸みのある角で紐などが滑り易くなっているのでより引っ掛かかり難い構造となっている。
【００１９】
すなわち精神的に不安定なかたが入院される病院で、プル側の把手部４ａに革紐などを引っ掛け自分の首に巻き付けて吊り下がろうとしても（なおプッシュ側の把手部４ｂには紐は引っ掛かからない）、実際に紐を引っ掛けることは極めて困難であって事実上ほぼ不可能であるので危険行為を未然に防止することができるという大きな利点がある。
【００２０】
【発明の効果】
この発明は上述のような構成であり、次の効果を有する。
【００２１】
紐などが非常に引っ掛かかり難い構造となっているので、従来よりも自ら命を絶とうとする事故が起きる可能性が少なく安全に使用することができる建物扉用把手を提供することができる。
【図面の簡単な説明】
【図１】この発明の建物扉用把手の実施形態を説明する斜視図。
【図２】図１の建物扉用把手の正面図。
【図３】図１の建物扉用把手を扉の側端面側から見た図。
【図４】図１の建物扉用把手のケーシングの正面図。
【図５】図１の建物扉用把手の断面図。
【図６】従来の建物扉用把手の斜視図。
【図７】図６の建物扉用錠前の断面図。
【符号の説明】
１  プル側の把手
２  扉
３ａ  基体部
４ａ  把手部
５  切欠部
９  奥側端部
１０  凹部空間
【図１】
2004324250.tif 000003
【図２】
2004324250.tif 000004
【図３】
2004324250.tif 000005
【図４】
2004324250.tif 000006
【図５】
2004324250.tif 000007
【図６】
2004324250.tif 000008
【図７】
2004324250.tif 000009